(57)【要約】【課題】  効率よく物品を梱包できるし、梱包した物品を手に負担を掛けずに安定的に支持することができる梱包具を提供すること。【解決手段】  付設されている弾性部材６により収縮可能に形成されており複数のベルト保持部材７Ａ，７Ｂが外周面に装着されている筒状包装体２と、筒状包装体２に一部を固定されるとともにベルト保持部材７Ａ，７Ｂに相対移動可能に保持されている上下に間隔をおいて配設された２本の水平ベルト８Ａ，８Ｂと、２本の水平ベルト８Ａ，８Ｂ間に張設されており筒状包装体２の少なくとも一部を被覆するネット１０と、筒状包装体２に一部を固定されるとともに、筒状包装体２に包装されている物品の露出している底面を支持する鉛直ベルトとを有する。【選択図】      図１
2006131261.tif 000002
【特許請求の範囲】
【請求項１】
付設されている弾性部材により収縮可能に形成されており、外周面に複数のベルト保持部材が装着されている筒状包装体と、
前記筒状包装体の外周面に一部を固定されるとともに、前記ベルト保持部材に相対移動可能に保持されている上下に間隔をおいて配設された２本の水平ベルトと、
前記２本の水平ベルト間に張設されており、前記筒状包装体の少なくとも一部を被覆するネットと、
前記筒状包装体の外周面に一部を固定されるとともに、前記筒状包装体に包装されている物品の露出している底面を支持する鉛直ベルトと
を有することを特徴とする梱包具。
【請求項２】
前記筒状包装体は、キルティング加工されていることを特徴とする請求項１に記載の梱包具。
【請求項３】
前記各水平ベルトはそれぞれの長手方向中央部を前記筒状包装体に固定されており、個々の水平ベルトの両端部同士を介して個々のベルトごとに緊締されるように構成されている請求項１または請求項２に記載の梱包具。
【請求項４】
前記鉛直ベルトはその基端部を前記筒状包装体に固定されており、その先端部を介していずれかの前記水平ベルトに緊締されるように構成されている請求項１ないし請求項３のいずれか１項に記載の梱包具。
【発明の詳細な説明】
【技術分野】
【０００１】
本発明は、家具のような比較的大型の物品を運搬するために梱包する梱包具に係り、特に、物品を梱包した状態で運搬しやすくした梱包具に関する。
【背景技術】
【０００２】
前述した梱包具として、長方形状の表生地と裏生地との間に緩衝部材と帯状をなす多数のゴム紐を長手方向に対して伸長状態で等間隔に配列し、表裏両生地の全面にキルティング加工を行ない、かつ端縁部をロック加工して長方形状の布団を構成し、この布団の長手方向の両端縁を縫着接合して筒状体に形成した梱包布団が知られている（例えば、特許文献１参照）。
【０００３】
このような特許文献１の梱包布団によれば、この梱包布団を物品の周囲に被着して物品の上端と下端から梱包布団を上下にはみ出させると、ゴム紐の収縮力により梱包布団が物品の上面と下面において収縮され、物品をその上面と下面においても被覆することになる。
【０００４】
そこで、この梱包布団の上から物品に水平方向および鉛直方向においてそれぞれ２本ずつのロープにより緊締することにより物品を梱包布団により梱包することになる。
【０００５】
【特許文献１】実公昭６３−６１３号公報
【発明の開示】
【発明が解決しようとする課題】
【０００６】
しかしながら、前述した特許文献１の梱包布団においては、この梱包布団が物品を包装した状態において新たに４本のロープを巻回して緊締しなければならず、梱包効率が悪かった。
【０００７】
また、人が梱包布団により梱包された物品を運搬する際にロープを掴まなければならないため、運搬しやすい箇所を掴むことができず、安定した状態で物品を支持できないことがあった。特に、階段やスロープを梱包布団により梱包された物品を、ロープを掴んで移動するのは非常に難しく、危険を伴うものであった。しかも、掴んだロープには荷重が集中するので、ロープを掴んだ手が痛くなるおそれがあった。
【０００８】
そこで、本発明は、前述した従来のものにおける問題点を克服し、作業性よく物品を梱包できるし、梱包した物品を手に負担を掛けずに安定的に支持することができる梱包具を提供することを目的とするものである。
【課題を解決するための手段】
【０００９】
前述した目的を達成するため、請求項１に係る本発明の梱包具の特徴は、付設されている弾性部材により収縮可能に形成されており、外周面に複数のベルト保持部材が装着されている筒状包装体と、前記筒状包装体の外周面に一部を固定されるとともに、前記ベルト保持部材に相対移動可能に保持されている上下に間隔をおいて配設された２本の水平ベルトと、前記２本の水平ベルト間に張設されており、前記筒状包装体の少なくとも一部を被覆するネットと、前記筒状包装体の外周面に一部を固定されるとともに、前記筒状包装体に包装されている物品の露出している底面を支持する鉛直ベルトとを有する点にある。
【００１０】
そして、このような構成を採用したことにより、筒状包装体により物品を被覆し、２本の水平ベルトを筒状包装体の外周に巻回して個々に緊締するとともに、鉛直ベルトを露出している物品の底面ならびに筒状包装体の外周に巻回して緊締することにより物品を梱包することができる。
【００１１】
請求項２に係る本発明の梱包具の特徴は、前記筒状包装体が、キルティング加工されている点にある。
【００１２】
そして、このような構成を採用したことにより、物品を痛めないための芯材を内部移動しないように筒状包装体内に保持することができる。
【００１３】
請求項３に係る本発明の梱包具の特徴は、前記各水平ベルトがそれぞれの長手方向中央部を前記筒状包装体に固定されており、個々の水平ベルトの両端部同士を介して個々のベルトごとに緊締されるように構成されている点にある。
【００１４】
そして、このような構成を採用したことにより、個々の水平ベルトの両端部をそれぞれ緊締して物品を梱包することができる。
【００１５】
請求項４に係る本発明の梱包具の特徴は、前記鉛直ベルトがその基端部を前記筒状包装体に固定されており、その先端部を介していずれかの前記水平ベルトに緊締されるように構成されている点にある。
【００１６】
そして、このような構成を採用したことにより、鉛直ベルトをいずれかの水平ベルトに緊締して物品を梱包することができる。
【発明の効果】
【００１７】
本発明によれば、筒状包装体に２本の水平ベルトと１本の鉛直ベルトとがそれぞれ自由度を有するようにして固定されているので、これらのベルトにより種々の寸法の物品を効率的に梱包することができる。
【００１８】
また、水平ベルト間にはネットが張設されているので、ネットを掴んで梱包した物品を手に負担を掛けずに安定的に支持して運搬することができる。
【発明を実施するための最良の形態】
【００１９】
図１は本発明に係る梱包具の実施形態を示すものであり、本実施形態の梱包具１は、筒状をなす包装体２を有している。一例として、この筒状包装体２を扁平に変形させた状態における寸法は、縦８０ｃｍ、横１ｍとされている。なお、前記寸法を変えた複数種の筒状包装体２を用意し、梱包する物品の大きさに応じて使用する筒状包装体２を選択するようにすればよい。
【００２０】
前記筒状包装体２を展開した状態を図２に示すが、この筒状包装体２を展開したシート状包装体２ａは、図３および図４に詳示するように、同形の表地３と裏地４とを有しており、これらの表地３と裏地４との間には、梱包した物品が硬いものに衝突しても傷がつかなくするために衝突の際の衝撃を緩衝する剛性ならびに柔軟性を兼ね備えたフェルトのような芯材５と、それぞれ水平方向に延在され伸長状態に保持されている複数の弾性部材であるゴムひも６，６…が平行に配設されている。
【００２１】
そして、前記シート状包装体２ａには、表面全体にキルティングマシンによるキルティング加工Ｋが施されており、前記芯材５および各ゴムひも６が内部で移動し得ないようになっている。また、前記シート状包装体２ａの外周縁部にはロックミシンによるロック加工Ｒが施されており、内部が露出し得ないようになっている。
【００２２】
したがって、前記各ゴムひも６により前記シート状包装体２ａは、水平方向に収縮可能とされている。
【００２３】
前記シート状包装体２ａの表面の左右端部には、それぞれ上下方向に間隔を隔てて各１対のベルト保持部材７Ａ，７Ｂが取付けられている。そして、上位の前記両ベルト保持部材７Ａ，７Ａならびに下位の前記両ベルト保持部材７Ｂ，７Ｂはそれぞれ同一高さに配設されている。
【００２４】
前記両ベルト保持部材７Ａ，７Ａには、前記シート状包装体２ａの横寸法より長い長さを有しポリエステルのような丈夫な材料からなる水平方向に延在するベルト８Ａが各ベルト保持部材７Ａに対し相対移動しうるように挿通されている。また、前記両ベルト保持部材７Ｂ，７Ｂには、前記ベルト８Ａと等しい長さを有し、ベルト８Ａと同じ材質で水平方向に延在するベルト８Ｂが各ベルト保持部材７Ｂに対し相対移動しうるように挿通されている。各ベルト８Ａ，８Ｂの一端部には、各ベルト８Ａ，８Ｂの他端部との緊締のために使用されるＤリング９Ａ，９Ｂが取付けられている。
【００２５】
前記両ベルト８Ａ，８Ｂ間には、上下端部をそれぞれ各ベルト８Ａ，８Ｂに固定されている長方形状のネット１０が張設されている。このネット１０の横寸法は一例として２ｍ９０ｃｍとされているが、このネット１０は、両ベルト保持部材７Ａ，７Ａ間および両ベルト保持部材７Ｂ，７Ｂ間に固定されているため、各ベルト８Ａ，８Ｂとともに両ベルト保持部材７Ａ，７Ａ間および両ベルト保持部材７Ｂ，７Ｂ間において弛んだ状態となっている。
【００２６】
また、前記ネット１０の材質は、物品を梱包具１に梱包した状態において手でネット１０を掴んでも破れない丈夫な材料により形成されている。
【００２７】
前記シート状包装体２ａの横方向における中央位置には、上方に位置する前記ベルト８Ａとの交差部位を基端として筒状包装体２の下端縁より下方に延在する鉛直ベルト１１が配設されている。この鉛直ベルト１１の前記シート状包装体２ａ上に位置する部位の全域は、この鉛直ベルト１１と交差する部位の前記各ベルト８Ａ，８Ｂとともに前記筒状包装体２に縫製Ｓにより固定されている。下方に位置する前記ベルト８Ｂより下方に位置する部位の前記鉛直ベルト１１の長さは、一例として２ｍ３０ｃｍとされている。
【００２８】
前述したシート状包装体２ａの両側縁を縫製Ｓにより接続することにより筒状包装体２が形成され、当然のことながら各ベルト保持部材７Ａ，７Ｂ、各ベルト８Ａ，８Ｂ，１１、ネット１０などは筒状包装体２の外周面に位置することになる。この状態が、図１の梱包具１である。
【００２９】
つぎに、前述した構成からなる本実施形態の作用について説明する。
【００３０】
本実施形態の梱包具１は、筒状包装体２内に複数のゴムひも６が伸長状態で収納されているので、自由状態において前記筒状包装体２は、各ゴムひも６の弾性力により水平方向において収縮され波打ってる状態とされている。
【００３１】
このような状態において、家具のような物品を梱包するには、物品の外周寸法に合わせて筒状包装体２を各ゴムひも６の弾性力に抗して伸長させるようにして物品の上からかぶせ、物品の各側面を完全に被覆する。このとき、筒状包装体２の下端縁を物品の下端縁に合わせるようにして筒状包装体２を物品の上端から突出させるようにしておく。すると、物品の上端から突出している部位の筒状包装体２は各ゴムひも６の弾性により収縮されるので、図５に示すように物品Ａの上面に密着することになる。
【００３２】
そこで、図５に示すように、筒状包装体２により物品Ａを被覆した状態で、各ベルト８Ａ，８Ｂの両端部をＤリング９Ａ、９Ｂを介してそれぞれ緊締する。
【００３３】
つぎに、図６に示すように、筒状包装体２の下端縁から突出している部位の鉛直ベルト１１を筒状包装体２の下端縁から露出している物品の底面の下方に渡したうえで、上位に位置するベルト８Ａの中間位置に絡ませるようにして緊締する。
【００３４】
このようにして梱包具１により物品Ａを作業性よく梱包することができる。
【００３５】
また、筒状包装体２は、複数本のゴムひも６により伸縮自在なので、筒状包装体２の伸長状態を梱包する物品の大きさに合わせて選択することにより種々の大きさの物品Ａを梱包することができる。
【００３６】
さらに、物品Ａを痛めないためのキルティング加工Ｋにより芯材５を内部移動しないように筒状包装体２内に保持しているので、運搬中に物品Ａを傷めることもない。
【００３７】
さらにまた、ネット１０を掴むことにより、物品Ａの荷重が掴んだネット１０の個々の部位に分散するので、梱包具１により梱包した物品Ａを手に負担を掛けずに安定的に支持して運搬することができる。特に、階段やスロープを梱包具により梱包された物品を運搬する際、ネットを掴んで移動すれば、物品を安定的に支持することができるため運搬の作業性がよい。
【００３８】
なお、本発明は、前述した実施の形態に限定されるものではなく、必要に応じて種々の変更が可能である。例えば、ベルトとしては、幅を狭くしたロープ状のものも発明の技術的範囲に含まれることはもちろんである。
【図面の簡単な説明】
【００３９】
【図１】本発明に係る梱包具の実施形態を示す斜視図
【図２】図１の筒状包装体を展開した状態を示す正面図
【図３】図２のシート状包装体の正面図
【図４】図３の横断面図
【図５】図１の梱包具により物品を梱包した状態を示す斜視図
【図６】図５の背部からの斜視図
【符号の説明】
【００４０】
１  梱包具
２  筒状包装体
２ａ  シート状包装体
３  表地
４  裏地
５  芯材
６  ゴムひも
７Ａ，７Ｂ  ベルト保持部材
８Ａ，８Ｂ  ベルト
９Ａ，９Ｂ  Ｄリング
１０  ネット
１１  鉛直ベルト
【図１】
2006131261.tif 000003
【図２】
2006131261.tif 000004
【図３】
2006131261.tif 000005
【図４】
2006131261.tif 000006
【図５】
2006131261.tif 000007
【図６】
2006131261.tif 000008